(57)【要約】【課題】適切な調整機能を発揮しながら、調整作業のしやすさを同時に実現でき、しかもランナー本体が走行するときのランナー軸の前後方向のがた付きを一掃できる前後調整機構を備えたランナーユニットを提供する。【解決手段】ランナー本体８の走行ブロック１４に、戸パネル３の前後位置を調整する前後調整機構を設ける。前後調整機構は、縦軸回りに回転自在に支持される調整ギヤ２６と、調整ギヤ２６を回転操作する操作ギヤ２７と、操作ギヤ２７を位置保持する節動機構を含む。調整ギヤ２７の偏心位置を縦通するランナー軸１１を、調整ギヤ２７に設けた操作部２８で同行回転可能に保持する。調整ギヤ２７が操作ギヤ２７で回転操作されるとき、調整ギヤ２６でランナー軸１１を回転操作して、ランナー軸１１の前後方向位置を調整変更する。【選択図】図１
2008255755.tif 000002
【特許請求の範囲】
【請求項１】
ランナー本体（８）と、戸パネル（３）に装着されるランナー台（１０）と、ランナー本体（８）とランナー台（１０）とを繋ぐランナー軸（１１）とを備えており、ランナー本体（８）の走行ブロック（１４）に、戸パネル（３）の前後位置を調整する前後調整機構が設けてある吊車型のランナーユニットであって、
前後調整機構は、走行ブロック（１４）で縦軸回りに回転自在に支持される調整ギヤ（２６）と、調整ギヤ（２６）を回転操作する操作ギヤ（２７）と、操作ギヤ（２７）を所定の回転角度ごとに位置保持する節動機構を含み、
ランナー軸（１１）は、調整ギヤ（２７）の偏心位置を縦通する状態で配置されて、調整ギヤ（２７）に形成した上下貫通状の操作部（２８）で同行回転可能に保持されており、
調整ギヤ（２６）でランナー軸（１１）を回転操作することにより、ランナー軸（１１）の前後方向位置を調整変更できる吊車型のランナーユニット。
【請求項２】
走行ブロック（１４）に、調整ギヤ（２６）を嵌め込み装着するギヤ凹部（１９）と、ランナー軸（１１）を受け入れる調整穴（２０）とが設けられており、
操作部（２８）が、調整ギヤ（２７）の周面で開口する溝で形成されており、
走行ブロック（１４）を縦通するランナー軸（１１）が、ギヤ凹部（１９）の内周壁および調整穴（２０）の内周壁と、これらの内周壁と対抗する操作溝（２８）とで挟持してある請求項１記載の吊車型のランナーユニット。
【請求項３】
操作ギヤ（２７）が、走行ブロック（１４）の軸受穴（２１）に差し込み装填される操作軸（３０）と、操作軸（３０）の一端に設けられて調整ギヤ（２６）と噛み合うギヤ部（３１）と、操作軸（３０）の他端に設けられる工具連結用の係合部（３２）とで構成されており、
操作ギヤ（２７）の中心軸線が、調整ギヤ（２６）の回転中心軸線に対して交差する状態で傾斜配置されて、係合部（３２）が走行ブロック（１４）の外面に臨ませてある請求項２記載の吊車型のランナーユニット。
【請求項４】
節動機構が、操作軸（３０）の周面に形成される複数の節動面（３４）と、走行ブロック（１４）に組み込まれて節動面（３４）に弾性接当するクリックばね（３５）とで構成されており、
操作ギヤ（２７）およびクリックばね（３５）が、走行ブロック（１４）に固定した抜止ピン（３７）で抜け止め保持してある請求項２または３記載の吊車型のランナーユニット。
【請求項５】
ランナー台（１０）に、前後面および外側面が開口する上区室（６０）と、下面が開口する下区室（６１）とが設けられて、上区室（６０）に保持ケース（９）に嵌め込み装着したランナー台（１０）を分離不能にロック保持するロック機構が配置され、下区室（６１）に戸パネル（３）の上下位置を調整する上下調整機構が設けてある請求項２〜４のいずれかに記載の吊車型のランナーユニット。
【請求項６】
ロック機構が、保持ケース（９）の対向壁に形成したロック凹部（５３）と、ランナー台（１０）と一体成形されるロックばね（６５）およびロック片（６６）と、ランナー台（１０）に組み込まれて、ロック片（６６）をロックばね（６５）の付勢力に抗してロック解除操作する解除レバー（６７）とで構成してある請求項５記載の吊車型のランナーユニット。
【請求項７】
解除レバー（６７）が、ロック解除状態においてランナー台（１０）の外側面に突出する操作アーム（７１）と、操作アーム（７１）と一体に設けられる解除アーム（７２）とを備えていて、ランナー台（１０）に固定したレバーピン（７３）で揺動可能に軸支されており、
ロック解除状態において、操作アーム（７１）がレバーピン（７３）の側からアーム遊端へ向かって上り傾斜するように、解除レバー（６７）の傾動限界が設定してある請求項５または６記載の吊車型のランナーユニット。
【発明の詳細な説明】
【技術分野】
【０００１】
本発明は、戸パネルの前後位置を調整するための前後調整機構を備えている吊車型のランナーユニットに関する。
【背景技術】
【０００２】
本発明のランナーユニットにおいては、前後調整機構をランナー本体に組み込むが、この種のランナーユニットは特許文献１に公知である。そこでは、ガイドレールで走行案内されるランナー本体と、戸パネルの上隅に埋設固定される保持ケースと、保持ケースに横側方から差し込み装填されるランナー台と、ランナー本体とランナー台とを上下に連結するランナー軸などでランナーユニットを構成し、ランナー本体の走行ブロックに前後調整機構を設けている。
【０００３】
前後調整機構は、走行ブロックで縦軸回りに回転自在に軸支される調整ボスを調整要素にして構成されており、調整ボスの偏心位置にランナー軸が上下貫通状に軸支してある。調整ボスの上端には円盤状の節度ダイヤルが、調整ボスの下端にはスパナを係合するための操作部が、それぞれ一体に設けてある。走行ブロックの上面には、節度ダイヤルの周面に落とし込み係合する節度突起が一体に形成してある。調整時には、走行ブロックの下面に突出する操作部にスパナを掛けて調整ボスを回転操作することにより、ランナー軸を前後いずれかへ回転変位させて、戸パネルの前後位置を調整できる。
【０００４】
一対のギヤを伝動要素とする前後調整機構を備えたランナーユニットが提案されている（特許文献２）。そこでは、走行ブロックで固定支持される調整ねじ軸と、調整ねじ軸と噛み合って前後方向に移動できる平歯車状の調整ねじ体と、調整ねじ体に同行して前後移動する受動ピースと、調整ねじ体を回転操作する操作ギヤなどで前後調整機構を構成している。ランナー軸は受動ピースを上下に貫通する状態で軸支されており、したがって、操作ギヤを指先で回転操作して調整ねじ体を前後に調整移動することにより、受動ピースおよびランナー軸を前後いずれかへ移動させて、戸パネルの前後位置を調整できる。
【０００５】
既存のランナーユニットの多くは、ランナー台を保持ケースに差し込み装着するだけで、ランナー台をロック機構で取り外し不能にロック保持するが、本発明のランナーユニットに関して、ロック機構の構成部品のひとつであるロックばねを、ランナー台と一体に成形することは特許文献３に公知である。加えて、特許文献３においては、走行ブロックの内部に組み込んだ上下調整機構を、一対のベベルギヤを伝動要素にして上下調整できるようにしている。
【０００６】
【特許文献１】特開２００１−３１７２６７号公報（段落番号００２７、図５）
【特許文献２】特開２００４−８４３９６号公報（段落番号００２８、図１）
【特許文献３】特許第３６４５８３７号公報（段落番号００３４、図４）
【発明の開示】
【発明が解決しようとする課題】
【０００７】
上記のように前後調整機構をランナー本体に組み込むと、ランナー台に上下調整機構と前後調整機構とを組み込む従来形態のランナーユニットに比べて、ランナー台の構造を簡素化して、保持ケースおよびランナー台をコンパクト化でき、戸パネルの厚みが小さい場合にも保持ケースとランナー台を埋設固定できる。しかし、ランナー台に比べて小さく、しかもガイドレールによって構造的な制約を受けやすいランナー本体の内部に前後調整機構を設けなければならないので、前後調整機構をランナー台の内部に設ける場合に比べて設計の自由度が低く、適切な調整機能を発揮しながら、調整作業のしやすさを同時に実現できる前後調整機構とすることはむずかしい。
【０００８】
例えば、特許文献１のランナーユニットにおいては、走行ブロックの下面に突出する操作部にスパナを掛けて調整ボスを前後調整操作する必要があるので、調整作業に手間が掛かる。また、特許文献２のランナーユニットは、調整作業は容易であるが、走行ブロックに形成した前後に長い調整穴でランナー軸を前後移動自在に支持するので、ランナー本体が走行するとき、受動ピースおよびランナー軸が前後にがた付きやすい。
【０００９】
本発明の目的は、前後調整機構をランナー本体に組み込むことにより、ランナー台および保持ケースの構造簡素化してコンパクト化でき、加えて戸パネルに形成される装着穴の加工コストを削減でき、したがって、ランナーユニットの製造コストと施工コストを含む全体コストを削減できるランナーユニットを提供することにある。本発明の目的は、適切な調整機能を発揮しながら、調整作業のしやすさを同時に実現できる前後調整機構を備えたランナーユニットを提供することにある。本発明の目的は、ランナー本体が走行するときのランナー軸の前後方向のがた付きを一掃して、戸パネルの開閉を円滑に行えるランナーユニットを提供することにある。
【課題を解決するための手段】
【００１０】
本発明の吊車型のランナーユニットは、ランナー本体８と、戸パネル３に装着されるランナー台１０と、ランナー本体８とランナー台１０とを繋ぐランナー軸１１とを備えており、ランナー本体８の走行ブロック１４に、戸パネル３の前後位置を調整する前後調整機構が設けてある。前後調整機構は、走行ブロック１４で縦軸回りに回転自在に支持される調整ギヤ２６と、調整ギヤ２６を回転操作する操作ギヤ２７と、操作ギヤ２７を所定の回転角度ごとに位置保持する節動機構を含む。ランナー軸１１は、調整ギヤ２７の偏心位置を縦通する状態で配置されて、調整ギヤ２７に形成した上下貫通状の操作部２８で同行回転可能に保持する。以て、調整ギヤ２６でランナー軸１１を回転操作することにより、ランナー軸１１の前後方向位置を調整変更できるようにする。
【００１１】
走行ブロック１４に、調整ギヤ２６を嵌め込み装着するギヤ凹部１９と、ランナー軸１１を受け入れる調整穴２０とを設ける。操作部２８は、調整ギヤ２７の周面で開口する溝で形成する。以て、走行ブロック１４を縦通するランナー軸１１を、ギヤ凹部１９の内周壁および調整穴２０の内周壁と、これらの内周壁と対抗する操作溝２８とで挟持する。
【００１２】
操作ギヤ２７は、走行ブロック１４の軸受穴２１に差し込み装填される操作軸３０と、操作軸３０の一端に設けられて調整ギヤ２６と噛み合うギヤ部３１と、操作軸３０の他端に設けられる工具連結用の係合部３２とで構成する。操作ギヤ２７の中心軸線を、調整ギヤ２６の回転中心軸線に対して交差する状態で傾斜配置して、係合部３２を走行ブロック１４の外面に臨ませる。
【００１３】
節動機構は、操作軸３０の周面に形成される複数の節動面３４と、走行ブロック１４に組み込まれて節動面３４に弾性接当するクリックばね３５とで構成する。操作ギヤ２７およびクリックばね３５を、走行ブロック１４に固定した抜止ピン３７で抜け止め保持する。
【００１４】
ランナー台１０に、前後面および外側面が開口する上区室６０と、下面が開口する下区室６１とを設け、上区室６０に保持ケース９に嵌め込み装着したランナー台１０を分離不能にロック保持するロック機構を配置し、下区室６１に戸パネル３の上下位置を調整する上下調整機構を設ける。
【００１５】
ロック機構は、保持ケース９の対向壁に形成したロック凹部５３と、ランナー台１０と一体成形されるロックばね６５およびロック片６６と、ランナー台１０に組み込まれて、ロック片６６をロックばね６５の付勢力に抗してロック解除操作する解除レバー６７とで構成する。
【００１６】
解除レバー６７は、ロック解除状態においてランナー台１０の外側面に突出する操作アーム７１と、操作アーム７１と一体に設けられる解除アーム７２とを備えていて、ランナー台１０に固定したレバーピン７３で揺動可能に軸支されている。ロック解除状態において、操作アーム７１がレバーピン７３の側からアーム遊端へ向かって上り傾斜するように、解除レバー６７の傾動限界を設定する。
【発明の効果】
【００１７】
本発明においては、ランナー本体８の走行ブロック１４に、戸パネル３の前後位置を調整するための前後調整機構を設けた。前後調整機構は、縦軸回りに回転自できる調整ギヤ２６と、調整ギヤ２６を回転操作する操作ギヤ２７と、操作ギヤ２７を所定の回転角度ごとに位置保持する節動機構などで構成し、調整ギヤ２７の偏心位置に配置したランナー軸１１を、上下貫通状の操作部２８で同行回転可能に保持することにより、調整ギヤ２６が操作ギヤ２７で回転操作されるとき、ランナー軸１１を調整ギヤ２６で回転変位させて、ランナー軸１１および戸パネル３の前後方向位置を調整変更できるようにした。
【００１８】
上記のように、走行ブロック１４に前後調整機構を設けると、ランナー台１０の内部構造や保持ケース９の構造を簡素化して製造コストを削減でき、さらに、戸パネル３に形成される装着穴５１の断面形状を簡素化して穴加工のためのコストを削減できるので、全体としてランナーユニットの製造コストと施工コストを含む全体コストを削減できる。また、ランナー台１０の内部に前後調整機構と高さ調整機構を設ける場合に比べて、ランナー台１０および保持ケース９の上下寸法と前後厚みをそれぞれ小さくして、コンパクト化できる。
【００１９】
操作ギヤ２７を例えばドライバーＴで回転操作することにより、ランナー軸１１を調整ギヤ２６とともに回転変位させて、戸パネル３の前後方向位置を調整するので、調整ギヤ２６から離れた自由空間で調整作業を行うことができ、調整ボスの操作部にスパナを掛けて調整操作する必要があった従来の前後調整機構に比べて、調整作業を簡便に行える。しかも、戸パネル３の調整結果を確認しながら調整量を加減して、過不足のない状態で適切に調整作業を行える。
【００２０】
走行ブロック１４にギヤ凹部１９と調整穴２０を設け、走行ブロック１４を縦通するランナー軸１１を、ギヤ凹部１９の内周壁および調整穴２０の内周壁と、これらの内周壁と対抗する調整ギヤ２７の操作溝２８とで挟持する前後調整機構によれば、ランナー軸１１を常にがたつきのない状態で位置保持できるので、ランナー軸１１と調整穴２０との間に隙間が存在しているにもかかわらず、ランナー本体８が走行するときのランナー軸１１の前後方向のがた付きを一掃でき、これによりランナー本体８の走行状態を安定化し、戸パネル３の開閉操作を軽快に行うことができる。また、操作部２８を調整ギヤ２７の周面で開口する溝として形成するので、例えば操作部を上下貫通状の穴で形成する場合に比べて構造の無駄がなく、その分だけ調整ギヤ２７をコンパクト化して、ガイドレール１によって構造的な制約を受けやすいランナー本体８の内部に、前後調整機構を無理なく組むことができる。
【００２１】
操作軸３０と、その両端に設けられるギヤ部３１および係合部３２とで操作ギヤ２７を構成し、操作ギヤ２７の中心軸線を調整ギヤ２６の回転中心軸線に対して傾斜配置することにより、係合部３２を走行ブロック１４の外面に臨ませると、係合部３２に対する操作工具の連結を目視しながら確実に行うことができ、しかもガイドレール１や戸パネル３、あるいはランナー本体８に邪魔されることもなく操作ギヤ２７を確実に回転操作して、前後調整作業を簡便にしかもさらに的確に行うことができる。
【００２２】
操作軸３０の周面に形成される節動面３４と、節動面３４に弾性接当するクリックばね３５とで節動機構を構成し、操作ギヤ２７を所定の回転角度ごとに節動機構で位置保持すると、調整ギヤ２６や操作ギヤ２７が外力を受けて遊動回転するのを規制できるので、改めて前後調整を行うまでは戸パネル３を適正な調整位置に保持し続けることができる。節動機構によって、操作軸３０を所定角度ずつ回転操作するごとにクリック感が得られるので、クリック回数を目安にして調整量を判断して、的確にしかも円滑に前後調整を行える。操作ギヤ２７およびクリックばね３５を、走行ブロック１４に固定した抜止ピン３７で抜け止め保持すると、所定の手順に従ってクリックばね３５と操作ギヤ２７とを組み付けたのち、抜止ピン３７を走行ブロック１４に固定することで、一連の組立作業を簡便にしかもより少ない手間で終了でき、その分だけランナーユニットの製造コストを削減できる。
【００２３】
ランナー台１０の上区室６０に、ランナー台１０を分離不能にロック保持するロック機構を配置し、下区室６１に戸パネル３の上下位置を調整する上下調整機構を設けるランナーユニットによれば、ロック機構と上下調整機構とがランナー台１０の内部で複雑に交錯するのを避けて、両機構の構造およびランナー台１０の構造を簡素化でき、その分だけランナー台１０および保持ケース９の前後厚みをそれぞれ小さくしてコンパクト化できる。組立に要する手間も軽減できる。
【００２４】
ロック凹部５３、ロックばね６５、ロック片６６と、解除レバー６７で構成されるロック機構において、ロックばね６５およびロック片６６をランナー台１０と一体に形成すると、ロックばね６５およびロック片６６を独立部品として形成する場合に比べて、ロック機構の構成部品点数と組立工数とを削減し、その分だけランナーユニットの製造コストを削減できる。部品点数が少ない分だけ故障の発生を抑えてロック機構の信頼性を向上できる。
【００２５】
操作アーム７１と解除アーム７２を備えた解除レバー６７をランナー台１０に揺動可能に軸支し、ロック解除状態においてランナー台１０から突出する操作アーム７１の姿勢が、アーム基端側からアーム遊端へ向かって上り傾斜するように設定してあると、操作アーム７１をロック解除状態にしたままで戸パネル３が閉じ操作される場合であっても、開口枠に接当するのと同時に解除レバー６７を待機位置側へ復帰揺動させて、操作アーム７１が折損するのを避けることができ、使用者の不注意による解除レバー６７の破損や故障を解消できる。
【発明を実施するための最良の形態】
【００２６】
（実施例）  図１ないし図１２は本発明に係るランナーユニットを引戸に適用した実施例を示す。図２において引戸は、開口枠の上枠に設けたガイドレール１と、ガイドレール１に沿って引き違い開閉できる左右一対の戸パネル３とからなる。各戸パネル３の上部両側には、ガイドレール１で移行案内されるランナーユニットが組み付けてある。各戸パネル３は、その下端に設けたスライド溝４と係合する振止ピン５で振れ止め保持してある。
【００２７】
図７においてランナーユニットは、ガイドレール１で左右方向に走行案内されるランナー本体８と、戸パネル３の上隅に埋設固定される保持ケース９と、保持ケース９の横側方から差し込み装着されるランナー台１０と、ランナー本体８とランナー台１０を連結するランナー軸１１などで構成する。図３に示すようにガイドレール１は断面Ｃ字状の前後レールを一体に備えたアルミニウム条材からなり、下面前後のレール壁の間が下向きに開口してある。
【００２８】
ランナー本体８は、プラスチック成形品からなる左右横長の走行ブロック１４と、走行ブロック１４の左右に前後一対ずつ配置される４個のローラー１５と、これらのローラー１５を遊転自在に軸支するローラー軸１６などで構成してある。これらの走行構造とは別に、走行ブロック１４には戸パネル３の前後位置を調整する前後調整機構と、急開閉されるときの戸パネル３の跳ね返えりを防ぐキャッチ構造とが設けてある。
【００２９】
図１および図４において、走行ブロック１４の左右中央部分には、座金凹部１８と、ギヤ凹部１９と、ランナー軸１１を受け入れる調整穴２０とが上から順に形成してあり、ギヤ凹部１９の一側に臨んで軸受穴２１が斜めに傾く状態で形成してある。座金凹部１８は、座金１２の回転変位に対応する円形の凹みとして形成してあり、その凹み中心は調整ギヤ２６の中心軸線に一致している。走行ブロック１４の上面一側にはばね受凹部２２が形成され、走行ブロック１４の他側にはアタッチメントを組み付けるためのブラケット２３が横向きに突設され、その左右２箇所にビス穴が形成してある。図４に示すようにギヤ凹部１９の半周面と、調整穴２０の周面の一部とは、段差のない状態で上下に連続している。
【００３０】
図４および図５において前後調整機構は、先のギヤ凹部１９に嵌め込み装着されて縦軸回りに回転自在に支持される調整ギヤ２６と、先の軸受穴２１に嵌め込み装着されて調整ギヤ２６を回転操作する操作ギヤ２７と、節動機構などで構成する。調整ギヤ２６は、丸軸体の半周面の上下方向に平歯車状のギヤ部２６ａを形成し、残る周面の周方向中央部分にランナー軸１１を保持するための操作溝（操作部）２８を上下貫通状に形成したダイキャスト成形品からなる。
【００３１】
操作溝２８は、調整ギヤ２６の上下、およびギヤ周面で開口する断面Ｕ字状の溝からなり、その径方向の深さはランナー軸１１の直径寸法を基準にして設定する。詳しくは、ランナー軸１１が操作溝２８を縦通する状態において、ランナー軸１１の中心位置が調整ギヤ２６の回転中心位置から偏心し、さらに、ランナー軸１１の周面が、ギヤ凹部１９の内周壁および調整穴２０の内周壁と、操作溝２８とに内接するように溝深さを設定する。このように、調整ギヤ２６の偏心位置においてランナー軸１１を操作溝２８で保持すると、調整ギヤ２６が操作ギヤ２７で回転操作されるとき、ランナー軸１１を調整ギヤ２６の回転中心の回りに回動操作して、その前後方向の変位成分によってランナー軸１１の前後方向位置を調整変更することができる。調整ギヤ２６と操作ギヤ２７のギヤ比は１対１である。
【００３２】
操作ギヤ２７は、軸受穴２１に差し込み装填される操作軸３０と、操作軸３０の一端に設けられて調整ギヤ２６と噛み合うギヤ部３１と、操作軸３０の他端に設けられる工具連結用の係合部３２とを一体に備えたダイキャスト成形品からなる。操作ギヤ２７を低コスト化するために、ギヤ部３１は平歯車状に形成されており、そのギヤ歯が調整ギヤ２６のギヤ部２６ａに対して斜めに噛み合うことで、操作ギヤ２７の回転力を調整ギヤ２６に伝動できるようにしている。なお、調整ギヤ２６と操作ギヤ２７のギヤ部２６ａ・３１のギヤ歯は、それぞれ歯数が少ないのでアンダーカットしてある。
【００３３】
図１に想像線で示すように、操作軸３０を軸受穴２１に嵌め込んだ状態においては、十字溝からなる係合部３２が走行ブロック１４の下面に露出するので、戸パネル３を吊り込んだ状態のままであっても、ドライバー（操作工具）Ｔを係合部３２に差し込み係合して操作ギヤ２７を回転操作できる。操作ギヤ２７の中心軸線は、調整ギヤ２６の回転中心軸線に対して交差する状態で傾斜配置してあり、この実施例では操作ギヤ２７の中心軸線の傾斜角度θを４５度とした（図４参照）。
【００３４】
操作ギヤ２７を所定の回転角度ごとに位置保持するために節動機構を設ける。節動機構は、操作軸３０のギヤ部３１との隣接周面に形成される８個の節動面３４と、軸受穴２１の上開口を前後に横切る状態で配置されて、節動面３４に弾性接当するクリックばね３５とで構成する。クリックばね３５は板ばねで形成されており、図６に示すように軸受穴２１と交差する前後方向のばね溝３６に嵌め込み装着してある。ばね溝３６に連続して、クリックばね３５のたわみ変形を許す逃げ凹部が形成してある（図７参照）。操作ギヤ２７とクリックばね３５は、走行ブロック１４に固定した前後方向の抜止ピン３７で抜け止め保持される。
【００３５】
キャッチ構造は、ガイドレール１の側端内面に締結固定されるキャッチブロック４０と、走行ブロック１４の上面に組み付けられるキャッチばね４１とで構成する。図２に示すようにキャッチブロック４０は、下面両側に上り傾斜状の保持面４２を備えたプラスチック成形品からなり、その上面凹部に配置した雌ねじ板４３をビス４４で引き寄せ締結することにより、ガイドレール１の任意位置に固定できる（図３参照）。キャッチばね４１は部分円弧状の板ばねからなり、その一端をばね受凹部２２に係止装着した状態で、他端側がブラケット２３にビス４５で固定される。
【００３６】
キャッチ構造は、戸パネル３が急開閉されるとき、キャッチばね４１が弾性変形しながらキャッチブロック４０を乗り越えるときの摩擦抵抗で戸パネル３の運動慣性力を減殺し、さらに閉じ位置に達したキャッチばね４１を保持面４２で受け止めて、戸パネル３が跳ね返えるのを防止し閉じ位置に保持する。図３に示すように、キャッチばね４１はキャッチブロック４０の前後幅に対応して幅広に形成されるので、例えば偏荷重によってランナー本体８が前後いずれかへ偏る状態で走行するような場合であっても、キャッチブロック４０で確実に捕捉し保持できる。
【００３７】
前後調整機構は、以下の手順で組み立てる。まず、クリックばね３５をばね溝３６に嵌め込み装着し、操作ギヤ２７の操作軸３０を軸受穴２１に差し込み装填したうえで、抜止ピン３７を走行ブロック１４に打ち込んで、操作ギヤ２７およびクリックばね３５を抜け止め固定する。次に調整ギヤ２６をギヤ凹部１９に嵌め込み、ランナー軸１１を走行ブロック１４の下面側から調整穴２０と操作溝２８に挿通し、その上端に座金１２をかしめ固定して、ランナー軸１１を走行ブロック１４と連結し一体化する。
【００３８】
上記の連結状態において、走行ブロック１４の上下面は、座金凹部１８に収容される座金１２と、ランナー軸１１の上下中途部に設けたフランジ１１ａとで挟持されるので、ランナー本体８は、ランナー軸１１と相対回転は可能であるが、上下に相対スライドは不能に連結される。調整ギヤ２６が中立位置にあるときの、座金１２とランナー軸１１と調整ギヤ２６との三者の位置関係は図６に示す通りであって、調整ギヤ２６の上面全体が座金１２で覆われている。調整ギヤ２６は、ギヤ凹部１９の底壁で受け止められて調整穴２０の上面を塞いでいる。
【００３９】
また、ランナー軸１１の周面は、ギヤ凹部１９の内周壁および調整穴２０の内周壁と操作溝２８とで常に挟持される。このように、ギヤ凹部１９の半周面と調整穴２０の半円周面を上下に連続させて、これらの周面と、両周面に対向する操作溝２８とでランナー軸１１の周面を挟持すると、ランナー軸１１と調整穴２０との間に隙間が存在しているにもかかわらず、ランナー軸１１を常にがたつきのない状態で位置保持でき、したがってランナー本体８の走行状態を安定化して、戸パネルの開閉操作を軽快に行うことができる。
【００４０】
操作ギヤ２７を回転操作すると、調整ギヤ２６が操作ギヤ２７の回転量と同じ角度だけ回転変位し、偏心位置にあるランナー軸１１を操作溝２８で前後いずれかへ移動できる。その結果、図３に矢印で示すように戸パネル３はランナー軸１１に同行して前後いずれかへ移動し、ランナー本体８に対する前後位置を変更できる。調整ギヤ２６は、中立位置から前後方向へ９０度ずつ回動変位でき、この調整限界はランナー軸１１が調整ギヤ２６の中心軸の回りに前後方向へ９０度ずつ変位するときの調整軌跡に合致して、調整穴２０をハート型に形成する（図７参照）ことによって厳密に規定される。中立位置から調整限界位置まで回動操作されたときのランナー軸１１の前後移動量Ｅを図６に示している。
【００４１】
保持ケース９は、戸パネル３の側端上部に形成した、縦断面がＵ字状の装着穴５１に嵌め込まれて、同ケース９の内奥壁と底壁の３箇所がビス５２で締結固定される。保持ケース９はプレス成形品からなり、前後一対の対向壁のそれぞれに、後述するロック機構を構成するロック凹部５３と、保持ケース９に装填されたランナー台１０を上下に位置決めする位置決め溝５４と、後述する調整ねじ板８１の調整限界を規定する規制溝５５が切り欠き形成してある。
【００４２】
ロック凹部５３は上向きに開口する状態で切り欠き形成してあり、その開口部分へ向かってロック片６６を押し上げ案内するガイド面５６が上り傾斜状に形成してある。保持ケース９の上面前後には、ランナー台１０の上方への抜け外れを防ぐ規制壁５７が一体に折曲げ形成してあり、保持ケース９を装着穴５１に組み付けた状態において、規制壁５７の上面は戸パネル３の上端面と面一になる（図９参照）。
【００４３】
ランナー台１０は、前後面および外側面が開口する上区室６０と、下面が開口する下区室６１とを備えたプラスチック成形品からなり、ランナー台１０の上面と下区室６１の内奥との間のボス壁６２に、ランナー軸１１を連結するための連結穴６３が上下貫通状に形成してある。ランナー台１０の上区室６０に、ランナー台１０を分離不能にロック保持するロック機構の要部を設け、下区室６１の内部に戸パネル３の上下位置を調整する上下調整機構を組み込んでいる。ランナー台１０の側端寄りの前後面には、先の溝５４と係合する位置決めリブ６４が膨出形成してある。
【００４４】
ロック機構は、保持ケース９の前後壁に設けた一対のロック凹部５３と、上区室６０の上下中途部に設けられて、ランナー台１０と一体成形されるロックばね６５およびロック片６６と、上区室６０の側面開口に組み込まれて、ロック片６６をロックばね６５の付勢力に抗してロック解除操作する解除レバー６７とで構成する。ロックばね６５は、先のボス壁６２から横向きに連出されて片持梁状に形成してあり、その遊端に解除レバー６７を押さえ保持する押圧片６８が斜め下向きに連出され、押圧片６８の連出基端の前後に四辺形状のロック片６６が膨出形成してある。
【００４５】
解除レバー６７は、縦向きの操作アーム７１と、操作アーム７１と一体に設けられる横向きの解除アーム７２とを一体に備えたＬ字状のプラスチック成型品からなり、両アーム７１・７２の交差隅部分がランナー台１０に固定したレバーピン７３で軸支してある。これにより、解除レバー６７の全体は図１０に示す待機位置と、図１１に示すロック解除位置との間を往復揺動できる。ロック解除状態における解除アーム７２は、レバーピン７３の側からアーム遊端へ向かって上り傾斜する状態でランナー台１０の外側面に突出する。
【００４６】
操作アーム７１の上端には指掛凹部７４が凹み形成され、その側端壁にドラーバーＴとの干渉を避ける逃げ部７５が切り欠き形成してある。図１０に示すように解除アーム７２の上面には、押圧片６８の先端で接当保持される段部７６が形成され、解除アーム７２の突端下部には、押圧片６８を押し上げ操作する解除爪７７が形成してある。
【００４７】
ランナー台１０を保持ケース９に嵌め込み連結するときは、図８に示すように戸パネル３を起立保持した状態で、ランナー本体８が連結されたランナー台１０を保持ケース９に差し込み装着する。このときの解除レバー６７は待機位置のままでもよく、ランナー台１０を差し込み係合するのに伴って、ロック片６６がロックばね６５の弾性に抗しながらガイド面５６で徐々に押し上げ操作されたのち、ロック凹部５３に落とし込み係合して、ランナー台１０を分離不能にロック保持できる。
【００４８】
ランナー台１０を保持ケース９から取り外す場合には、図１２に示すように、解除レバー６７をロック解除位置へ傾倒操作して、ロックばね６５をその弾性に抗して上向きに弾性変形させ、ロック片６６とロック凹部５３との係合を解除する。その状態で、解除レバー６７の操作アーム７１をつかんで、ランナー台１０を抜き出し操作することにより保持ケース９から分離できる。
【００４９】
解除レバー６７がロック解除位置へ傾倒操作された状態のまま放置されることがある。その場合には、操作アーム７１がランナー台１０から突出するので、戸パネル３を閉じ操作したとき、操作アーム７１が開口枠に衝突するおそれがある。しかし、傾動限界における操作アーム７１が、レバーピン７３の側からアーム遊端へ向かって上り傾斜するように設定してあるので、操作アーム７１が開口枠に衝突したとしても、解除レバー６７は待機位置へ復帰揺動するだけで、操作アーム７１が破損し、あるいは解除レバー６７が故障するのを確実に防止できる。なお、解除レバー６７の傾動限界は、ロック片６６が上区室６０の上壁に接当することで規定される。
【００５０】
ランナー台１０の下区室６１の内部には、戸パネル３の上下位置を調整する上下調整機構を設ける。図８〜図１２に示すように上下調整機構は、ランナー軸１１を上下に調整操作する調整レバー８０と、ランナー台１０で往復変位可能に支持されて、調整レバー８０を揺動操作する調整ねじ板８１と、調整ねじ板８１を往復操作する調整ねじ８２などで構成する。調整レバー８０は、ランナー軸１１の下端の受動フランジ１１ｂを受け止めるレバーアーム８３と、調整ねじ板８１の板面に設けた係合溝８４と係合する連動爪８５を一体に備えた板状のプレス金具からなり、ピン８６で揺動可能に軸支してある。図１２に示すように、ピン８６は下区室６１の内部に突設したボス８７に固定される。
【００５１】
調整ねじ板８１は、先の係合溝８４が形成される横壁と、調整ねじ８２がねじ込まれるねじ穴８８を備えた縦壁を一体に備えており、横壁の前後縁が下区室６１の前後壁の下部に形成したガイド溝８９で左右スライドのみ可能に案内支持してある。符号９０は調整ねじ８２を回転自在に位置保持する止め金具である。
【００５２】
以上のように構成した上下調整機構においては、調整ねじ８２をねじ込み操作するとき、調整ねじ板８１が調整ねじ８２の側へ引き寄せられるので、調整レバー８０はピン８６を中心にして時計回転方向へ回動する。その結果、ランナー台１０はランナー軸１１に対して上方移動し、その分だけ戸パネル３の床面からの高さを増すことができる。調整ねじ８２を上記とは逆向きに操作すると、戸パネル３の高さを減少することができる。戸パネル３の高さを減少する向きの調整限界を規定するために、保持ケース９の前後に調整ねじ板８１の側端を受け止める規制溝５５を設けている。
【００５３】
本発明のランナーユニットは、図１３に示すように折戸に適用することができる。その場合には、ヒンジ９２で連結された折戸パネル（戸パネル）３・３の側端上部のそれぞれに保持ケース９およびランナー台１０を埋設する状態で装着し、各ランナー台１０に対応して設けたランナー本体８をガイドレール１で移行案内する。なお、ランナー本体８とランナー軸１１とは互いに相対回転することで、開閉時の戸パネル３・３の姿勢変化を吸収できる。戸パネル３・３の下端は、下ガイドレール９３で移行案内される振止め具９４によって振れ止めしてある。この場合の両側端に位置するランナー本体８はキャッチブロック４０で保持固定されて、そのランナー軸１１が両側端に設けた振止め具９４と共同して折戸のピボット軸を構成する。なお、ランナーユニットを折戸に適用する場合には、前後調整機構を省いて使用することができる。他は先の実施例と同じであるので、同じ部材に同じ符号を付してその説明を省略する。以下の実施例においても同様に扱う。
【００５４】
本発明のランナーユニットは、戸パネル３の側端面に埋設固定する以外に、図１４に示すように戸パネル３の裏面側に装着して使用することができる。その場合には、戸パネル３の裏面上隅に形成した装着穴５１に、専用の保持ケース９を埋設固定したうえで、ランナー台１０を保持ケース９に差し込み装着する。保持ケース９の外面両側には、締結座９６が張り出し形成してあり、これらの締結座９６を戸パネル３の裏面にあてがった状態で、ビス９７で締結することにより、保持ケース９を戸パネル３に固定できる。保持ケース９の内面の対向壁には、ロック凹部５３、位置決め用の溝５４、規制溝５５、およびガイド面５６などが形成してある。
【００５５】
乱暴に閉じ操作されるときの戸パネル３の運動慣性力が過大になるような場合には、ランナー本体８がキャッチブロック４０で減速される間に、戸パネル３の全体が跳ね上がって傾動し、振止ピン５とスライド溝４、あるいは振止ローラーとガイドレールとの係合が外れることがある。また、戸パネル３が斜めに振れた勢いで、その閉じ端側の下隅部分が開口枠の縦枠部分に衝突して、縦枠部分を傷付けることがある。このような、不具合を解消するために図１５ないし図１８に示す跳上規制体を併用することができる。
【００５６】
図１６において跳上規制体は、上装着座１０１と、下装着座１０２と、両装着座１０１・１０２を繋ぐ横臥Ｕ字状の前後一対のばね腕１０３と、下装着座１０２から連出される前後一対の摘み部１０４とを一体に備えたプラスチック成形品からなる。上装着座１０１の前後縁には、前後方向の移動限界を規定するストッパー壁１０１ａが膨出形成してあり、これらのストッパー壁１０１ａの間にランナー軸１１用の逃げ溝１０５がＵ字状に形成してある。下装着座１０２にも同様の逃げ溝１０５が形成され、さらに、下装着座１０２の下面には、ランナー台１０の上端面に設けた左右方向の係合リブ１０６と係合するリブ溝１０７が形成してある。
【００５７】
図１７および図１８に示すように跳上規制体は、レール開口から下向きに突出する走行ブロック１４の下面と、ランナー台１０の上端面との間に差し込み装着されて、先のリブ溝１０７が係合リブ１０６と係合することにより抜け外れ不能に固定保持される。この装着状態において、両装着座１０１・１０２の座面はばね腕１０３の付勢力を受けて、走行ブロック１４およびランナー台１０に対して互いに離れる向きに密着付勢される。そのため、過大な運動慣性力を受けた戸パネル３が跳ね上がろうとしても、ばね腕１０３の付勢力が跳ね上がりを規制する向きに作用し、しかも戸パネル３が跳ね上がるのに伴って、ばね腕１０３の弾性力が増加するので、戸パネル３の跳ね上がりを規制し、あるいは跳ね上がり動作を緩衝吸収できる。走行ブロック１４とランナー台１０との上下間隔は、上下調整機構によって調製変更できるが、跳上規制体はすべての調整範囲において、両装着座１０１・１０２の座面を走行ブロック１４およびランナー台１０に密着できるように構成してある。
【００５８】
本発明者は、跳上規制体を試作し吊車構造の引戸に組み込んで、その効果を確かめたが、戸パネル３が乱暴に閉じ操作されるときの振止ピン５とスライド溝４、あるいは振止ローラーとガイドレールとの係合が外れるのを確実に防止でき、しかも戸パネル３の閉じ端側の下隅部分が開口枠の縦枠部分に衝突するのを確実に規制できるのを確認した。
【００５９】
上記のように構成した跳上規制体は、以下の形態で実施することができる。吊車型のランナー本体８とランナー台１０との間に配置されて、開閉時の戸パネル３の跳ね上りを規制する跳上規制体であって、上装着座１０１と、下装着座１０２と、両装着座１０１・１０２を互いに離れる向きに付勢するばね体（ばね腕）１０３とを備えており、両装着座１０１・１０２の座面のそれぞれに、ランナー軸１１用の逃げ溝１０５が形成してあることを特徴とする跳上規制体。なお、ばね腕１０３に換えて圧縮コイル形のばねや、板ばねで両装着座１０１・１０２を互いに離れる向きに付勢することができる。
【００６０】
上記の実施例以外に、操作ギヤ２７の中心軸線の傾斜角度θは４５度である必要はなく、走行ブロック１４の構造の違いに応じて適宜変更できる。調整ギヤ２６における操作部２８は、断面がＵ字状の溝で形成する必要はなく、断面がＣ字状の溝や、断面が円形の穴で形成することができる。必要があれば、ランナー軸１１に外接する多角形断面状の穴で形成することができる。座金凹部１８は省略でき、その場合には座金１２を走行ブロック１４の上面で支持するとよい。係合部３２は六角穴や四角穴などで形成することができ、その場合には多角形の穴に係合できる操作部を備えたドライバーや棒形レンチで操作ギヤ２７を回動操作するとよい。
【００６１】
節動機構の節度面３４は、平坦面で形成する必要はなくリブ状の突起や凹溝などで形成することができる。その場合のクリックばね３５には、リブ状の突起に対応する凹溝や、凹溝に対応する突リブなどを形成するとよい。調整ギヤ２６と操作ギヤ２７のギヤ部２６ａ・３１はベベルギヤで形成することができる。上下調整機構は、一対の傘歯車や、ウォームギヤとラックなどを伝動要素にして構成することができる。
【図面の簡単な説明】
【００６２】
【図１】ランナー本体の縦断面図である。
【図２】引戸の正面図である。
【図３】ガイドレールの縦断側面図である。
【図４】走行ブロックを破断したランナー本体の分解斜視図である。
【図５】調整ギヤと操作ギヤの噛み合い状態を示す展開平面図である。
【図６】節動機構および調整穴を展開した状態で示す断面図である。
【図７】ランナー台と保持ケースを分離した状態の断面図である。
【図８】上下調整機構の分解斜視図である。
【図９】ランナーユニットをランナー軸に沿って破断した縦断面図である。
【図１０】ロック機構および上下調整機構の縦断正面図である。
【図１１】ロック機構をロック解除した状態の一部破談正面図である。
【図１２】上下調整機構の横断平面図である。
【図１３】ランナーユニットの別の適用例を示す正面図である。
【図１４】ランナーユニットのさらに別の適用例を示す縦断側面図である。
【図１５】跳上規制体の適用例を示す分解正面図である。
【図１６】跳上規制体の斜視図である。
【図１７】跳上規制体を組み込んだ状態の縦断側面図である。
【図１８】跳上規制体を組み込んだ状態の縦断正面図である。
【符号の説明】
【００６３】
８  ランナー本体
９  保持ケース
１０  ランナー台
１１  ランナー軸
１４  走行ブロック
２６  調整ギヤ
２７  操作ギヤ
２８  操作溝
３４  節動面
３５  クリックばね
【図１】
2008255755.tif 000003
【図２】
2008255755.tif 000004
【図３】
2008255755.tif 000005
【図４】
2008255755.tif 000006
【図５】
2008255755.tif 000007
【図６】
2008255755.tif 000008
【図７】
2008255755.tif 000009
【図８】
2008255755.tif 000010
【図９】
2008255755.tif 000011
【図１０】
2008255755.tif 000012
【図１１】
2008255755.tif 000013
【図１２】
2008255755.tif 000014
【図１３】
2008255755.tif 000015
【図１４】
2008255755.tif 000016
【図１５】
2008255755.tif 000017
【図１６】
2008255755.tif 000018
【図１７】
2008255755.tif 000019
【図１８】
2008255755.tif 000020
【手続補正書】
【提出日】平成19年9月29日(2007.9.29)
【手続補正１】
【補正対象書類名】特許請求の範囲
【補正対象項目名】全文
【補正方法】変更
【補正の内容】
【特許請求の範囲】
【請求項１】
ランナー本体（８）と、戸パネル（３）に装着されるランナー台（１０）と、ランナー本体（８）とランナー台（１０）とを繋ぐランナー軸（１１）とを備えており、ランナー本体（８）の走行ブロック（１４）に、戸パネル（３）の前後位置を調整する前後調整機構が設けてある吊車型のランナーユニットであって、
前後調整機構は、走行ブロック（１４）で縦軸回りに回転自在に支持される調整ギヤ（２６）と、調整ギヤ（２６）を回転操作する操作ギヤ（２７）と、操作ギヤ（２７）を所定の回転角度ごとに位置保持する節動機構を含み、
走行ブロック（１４）に、調整ギヤ（２６）が嵌め込み装着される円形のギヤ凹部（１９）と、ランナー軸（１１）を受け入れる調整穴（２０）とが上から順に形成されて、ギヤ凹部（１９）の半周面と調整穴（２０）の半周面が、段差のない状態で上下に連続させてあり、
調整ギヤ（２６）は、丸軸体の半周面にギヤ部（２６ａ）が形成され、残る周面にランナー軸（１１）を保持する操作溝（２８）が周面で開口する溝として上下貫通状に形成されており、
ランナー軸（１１）は、前記操作溝（２８）および調整穴（２０）を縦通する状態で配置されて、操作溝（２８）で同行回転可能に保持されており、
走行ブロック（１４）を縦通するランナー軸（１１）が、段差のない状態で上下に連続する前記ギヤ凹部（１９）の半周面、および前記調整穴（２０）の半周面と、これらの周面に対向する操作溝（２８）とで挟持されており、
調整ギヤ（２６）でランナー軸（１１）を回転操作することにより、ランナー軸（１１）の前後方向位置を調整変更できる吊車型のランナーユニット。
【請求項２】
操作ギヤ（２７）が、走行ブロック（１４）の軸受穴（２１）に差し込み装填される操作軸（３０）と、操作軸（３０）の一端に設けられて調整ギヤ（２６）と噛み合うギヤ部（３１）と、操作軸（３０）の他端に設けられる工具連結用の係合部（３２）とで構成されており、
操作ギヤ（２７）の中心軸線が、調整ギヤ（２６）の回転中心軸線に対して交差する状態で傾斜配置されて、係合部（３２）が走行ブロック（１４）の外面に臨ませてある請求項１記載の吊車型のランナーユニット。
【請求項３】
節動機構が、操作軸（３０）の周面に形成される複数の節動面（３４）と、走行ブロック（１４）に組み込まれて節動面（３４）に弾性接当するクリックばね（３５）とで構成されており、
操作ギヤ（２７）およびクリックばね（３５）が、走行ブロック（１４）に固定した抜止ピン（３７）で抜け止め保持してある請求項１または２記載の吊車型のランナーユニット。
【請求項４】
ランナー台（１０）に上区室（６０）と、下面が開口する下区室（６１）とが設けられて、上区室（６０）に保持ケース（９）に嵌め込み装着したランナー台（１０）を分離不能にロック保持するロック機構が配置され、下区室（６１）に戸パネル（３）の上下位置を調整する上下調整機構が設けられており、
ロック機構が、保持ケース（９）の対向壁に形成したロック凹部（５３）と、ランナー台（１０）と一体成形されるロックばね（６５）およびロック片（６６）と、ランナー台（１０）に組み込まれて、ロック片（６６）をロックばね（６５）の付勢力に抗してロック解除操作する解除レバー（６７）とで構成されており、
解除レバー（６７）が、ロック解除状態においてランナー台（１０）の外側面に突出する操作アーム（７１）と、操作アーム（７１）と一体に設けられる解除アーム（７２）とを備えていて、ランナー台（１０）に固定したレバーピン（７３）で揺動可能に軸支されており、
ロック解除状態において、操作アーム（７１）がレバーピン（７３）の側からアーム遊端へ向かって上り傾斜するように、解除レバー（６７）の揺動限界がロック片（６６）を介してランナー台（１０）で規定してある請求項３記載の吊車型のランナーユニット。
【手続補正２】
【補正対象書類名】明細書
【補正対象項目名】００１０
【補正方法】変更
【補正の内容】
【００１０】
本発明の吊車型のランナーユニットは、ランナー本体８と、戸パネル３に装着されるランナー台１０と、ランナー本体８とランナー台１０とを繋ぐランナー軸１１とを備えており、ランナー本体８の走行ブロック１４に、戸パネル３の前後位置を調整する前後調整機構が設けてある。前後調整機構は、走行ブロック１４で縦軸回りに回転自在に支持される調整ギヤ２６と、調整ギヤ２６を回転操作する操作ギヤ２７と、操作ギヤ２７を所定の回転角度ごとに位置保持する節動機構を含む。走行ブロック１４に、調整ギヤ２６が嵌め込み装着される円形のギヤ凹部１９と、ランナー軸１１を受け入れる調整穴２０とが上から順に形成されて、ギヤ凹部１９の半周面と調整穴２０の半周面が、段差のない状態で上下に連続させてある。調整ギヤ２６は、丸軸体の半周面にギヤ部２６ａが形成され、残る周面にランナー軸１１を保持する操作溝２８が周面で開口する溝として上下貫通状に形成してある。ランナー軸１１は、前記操作溝２８および調整穴２０を縦通する状態で配置されて、操作溝２８で同行回転可能に保持されている。走行ブロック１４を縦通するランナー軸１１は、段差のない状態で上下に連続する前記ギヤ凹部１９の半周面、および前記調整穴２０の半周面と、これらの周面に対向する操作溝２８とで挟持されている。以て、調整ギヤ２６でランナー軸１１を回転操作することにより、ランナー軸１１の前後方向位置を調整変更できるようにする。
【手続補正３】
【補正対象書類名】明細書
【補正対象項目名】００１１
【補正方法】削除
【補正の内容】
【手続補正４】
【補正対象書類名】明細書
【補正対象項目名】００１６
【補正方法】変更
【補正の内容】
【００１６】
解除レバー６７は、ロック解除状態においてランナー台１０の外側面に突出する操作アーム７１と、操作アーム７１と一体に設けられる解除アーム７２とを備えていて、ランナー台１０に固定したレバーピン７３で揺動可能に軸支されている。ロック解除状態において、操作アーム７１がレバーピン７３の側からアーム遊端へ向かって上り傾斜するように、解除レバー６７の揺動限界をロック片６６を介してランナー台１０で規定する。
【手続補正５】
【補正対象書類名】明細書
【補正対象項目名】００４０
【補正方法】変更
【補正の内容】
【００４０】
操作ギヤ２７を回転操作すると、調整ギヤ２６が操作ギヤ２７の回転量と同じ角度だけ回転変位し、偏心位置にあるランナー軸１１を操作溝２８で前後いずれかへ移動できる。その結果、図３に矢印で示すように戸パネル３はランナー軸１１に同行して前後いずれかへ移動し、ランナー本体８に対する前後位置を変更できる。調整ギヤ２６は、中立位置から前後方向へ９０度ずつ回動変位でき、この調整限界はランナー軸１１が調整ギヤ２６の中心軸の回りに前後方向へ９０度ずつ変位するときの調整軌跡に合致して、調整穴２０をハート型に形成する（図６参照）ことによって厳密に規定される。中立位置から調整限界位置まで回動操作されたときのランナー軸１１の前後移動量Ｅを図６に示している。
【手続補正６】
【補正対象書類名】明細書
【補正対象項目名】００６０
【補正方法】変更
【補正の内容】
【００６０】
上記の実施例以外に、操作ギヤ２７の中心軸線の傾斜角度θは４５度である必要はなく、走行ブロック１４の構造の違いに応じて適宜変更できる。調整ギヤ２６における操作部２８は、断面がＵ字状の溝で形成する必要はなく、断面がＣ字状の溝で形成することができる。座金凹部１８は省略でき、その場合には座金１２を走行ブロック１４の上面で支持するとよい。係合部３２は六角穴や四角穴などで形成することができ、その場合には多角形の穴に係合できる操作部を備えたドライバーや棒形レンチで操作ギヤ２７を回動操作するとよい。